(57)【要約】  基地局装置（１００）は、所定周期のサブフレームに配置され、所定周期内の少なくとも１つのサブフレームを指定する情報を含む第１制御チャネルを生成する第１生成部（１０３）と、前記第１制御チャネルによって指定されるサブフレームに配置され、通信を制御する制御情報を含む第２制御チャネルを生成する第２生成部（１０４）と、前記第１制御チャネルが配置されたサブフレームと前記第２制御チャネルが配置されたサブフレームとを送信する送信部（１０６）とを有する。
2017163418.tif 000002
【特許請求の範囲】
【請求項１】
所定周期のサブフレームに配置され、所定周期内の少なくとも１つのサブフレームを指定する情報を含む第１制御チャネルを生成する第１生成部と、
前記第１制御チャネルによって指定されるサブフレームに配置され、通信を制御する制御情報を含む第２制御チャネルを生成する第２生成部と、
前記第１制御チャネルが配置されたサブフレームと前記第２制御チャネルが配置されたサブフレームとを送信する送信部と
を有することを特徴とする基地局装置。
【請求項２】
前記第１制御チャネル及び前記第２制御チャネルに対する制御情報の配分を決定する決定部をさらに有し、
前記第１生成部は、
前記決定部によって前記第１制御チャネルに配分された制御情報を含む第１制御チャネルを生成し、
前記第２生成部は、
前記決定部によって前記第２制御チャネルに配分された制御情報を含む第２制御チャネルを生成する
ことを特徴とする請求項１記載の基地局装置。
【請求項３】
前記決定部は、
通信相手となる端末装置ごとに異なる制御情報の配分を決定することを特徴とする請求項２記載の基地局装置。
【請求項４】
前記決定部は、
前記端末装置の移動速度に応じて、制御情報の配分を決定することを特徴とする請求項３記載の基地局装置。
【請求項５】
前記決定部は、
前記第２制御チャネルに配分される制御情報よりも時間変動が小さい制御情報を前記第１制御チャネルに配分することを特徴とする請求項２記載の基地局装置。
【請求項６】
前記第１生成部は、
通信相手となる端末装置ごとに異なる周期のサブフレームに前記第１制御チャネルを配置することを特徴とする請求項１記載の基地局装置。
【請求項７】
前記第１生成部は、
前記端末装置の移動速度に応じて、前記第１制御チャネルが配置される周期を決定することを特徴とする請求項６記載の基地局装置。
【請求項８】
前記第１生成部は、
通信相手となる端末装置との間の回線の状態を取得する周期と所定の関係を有する周期のサブフレームに前記第１制御チャネルを配置することを特徴とする請求項１記載の基地局装置。
【請求項９】
複数のサブフレームを受信する受信部と、
前記受信部によって受信されたサブフレームのうち、所定周期のサブフレームに配置される第１制御チャネルから、所定周期内の少なくとも１つのサブフレームを指定する情報を取得し、前記第１制御チャネルによって指定されるサブフレームに配置される第２制御チャネルから、通信を制御する制御情報を取得する制御チャネル処理部と、
前記制御チャネル処理部によって取得された制御情報を用いて、データチャネルに対する受信処理を実行するデータチャネル処理部と
を有することを特徴とする端末装置。
【請求項１０】
互いに通信する基地局装置と端末装置とを備える無線通信システムであって、
前記基地局装置は、
所定周期のサブフレームに配置され、所定周期内の少なくとも１つのサブフレームを指定する情報を含む第１制御チャネルを生成する第１生成部と、
前記第１制御チャネルによって指定されるサブフレームに配置され、通信を制御する制御情報を含む第２制御チャネルを生成する第２生成部と、
前記第１制御チャネルが配置されたサブフレームと前記第２制御チャネルが配置されたサブフレームとを送信する送信部とを有し、
前記端末装置は、
前記送信部から送信されたサブフレームを受信する受信部と、
前記受信部によって受信されたサブフレームのうち、所定周期のサブフレームに配置される第１制御チャネルから、所定周期内の少なくとも１つのサブフレームを指定する情報を取得し、前記第１制御チャネルによって指定されるサブフレームに配置される第２制御チャネルから、制御情報を取得する制御チャネル処理部と、
前記制御チャネル処理部によって取得された制御情報を用いて、データチャネルに対する受信処理を実行するデータチャネル処理部とを有する
ことを特徴とする無線通信システム。
【請求項１１】
所定周期のサブフレームに配置され、所定周期内の少なくとも１つのサブフレームを指定する情報を含む第１制御チャネルを生成し、
前記第１制御チャネルによって指定されるサブフレームに配置され、通信を制御する制御情報を含む第２制御チャネルを生成し、
前記第１制御チャネルが配置されたサブフレームと前記第２制御チャネルが配置されたサブフレームとを送信する
処理を有することを特徴とする無線通信方法。
【発明の詳細な説明】
【技術分野】
【０００１】
本発明は、基地局装置、端末装置、無線通信システム及び無線通信方法に関する。
【背景技術】
【０００２】
近年、移動通信システム（セルラーシステム）等の無線通信システムにおいて、無線通信のさらなる高速化・大容量化、大量接続対応、高信頼化及び遅延の低減等を図るため、次世代の無線通信技術について議論が行われている。例えば、移動通信システムの仕様を策定する標準化プロジェクトである３ＧＰＰ（3rd  Generation  Partnership  Project）では、第５世代移動通信システムの仕様の策定に向けた検討が開始されている。具体的には、例えば３ＧＰＰのリリース１４（Release  14）では、例えばサブフレームのような送信時間間隔（ＴＴＩ：Transmission  Time  Interval）を短縮することが検討されている。すなわち、ＬＴＥ（Long  Term  Evolution）及びＬＴＥ−Ａ（LTE  Advanced）では、１ｍｓ（ミリ秒）であるサブフレームの長さを０．５ｍｓから７０μｓ（マイクロ秒）にまで短縮することが検討されている。【０００３】
このようにＴＴＩが短縮される場合でも、通信のためのパラメータなどを含む制御情報の量は変化しないため、１つのＴＴＩに含まれる制御情報の割合が増加し、制御チャネルのオーバーヘッドが増大する。オーバーヘッドの増大は、１つのＴＴＩに含まれるユーザ情報の割合の低下を招き、通信効率の向上を妨げる。【０００４】
そこで、オーバーヘッドの増大を抑制するために、一部の制御情報を長周期で伝送することなどが考えられている。すなわち、例えば信号の受信確認応答であるＡＣＫ／ＮＡＣＫを毎サブフレームで伝送する一方、例えばスケジューリング情報を２サブフレームに１回伝送することで、オーバーヘッドの増大を抑制することが考えられている。
【先行技術文献】
【特許文献】
【０００５】
【特許文献１】特開２００９−２１２５９７号公報
【発明の概要】
【発明が解決しようとする課題】
【０００６】
しかしながら、上記従来の技術では、時々刻々と変化する無線通信の状況に対応した最適な通信設定が困難であるという問題がある。すなわち、無線通信システムでは、端末装置が移動し得るため、基地局装置が処理するトラヒック量や伝搬路の品質が経時的に変化する。それにも関わらず、一部の制御情報が長周期で伝送されると、状況に応じて柔軟に通信のパラメータを変更することが困難であり、結果としてスループット又は通信効率が低下してしまうことがある。【０００７】
本発明は、かかる点に鑑みてなされたものであって、オーバーヘッドの増大を抑制しつつ、状況に応じた柔軟な通信設定をすることができる基地局装置、端末装置、無線通信システム及び無線通信方法を提供することを目的とする。
【課題を解決するための手段】
【０００８】
本願が開示する基地局装置は、１つの態様において、所定周期のサブフレームに配置され、所定周期内の少なくとも１つのサブフレームを指定する情報を含む第１制御チャネルを生成する第１生成部と、前記第１制御チャネルによって指定されるサブフレームに配置され、通信を制御する制御情報を含む第２制御チャネルを生成する第２生成部と、前記第１制御チャネルが配置されたサブフレームと前記第２制御チャネルが配置されたサブフレームとを送信する送信部とを有する。
【発明の効果】
【０００９】
本願が開示する基地局装置、端末装置、無線通信システム及び無線通信方法の１つの態様によれば、オーバーヘッドの増大を抑制しつつ、状況に応じた柔軟な通信設定をすることができるという効果を奏する。
【図面の簡単な説明】
【００１０】
【図１】図１は、実施の形態１に係る無線通信システムの構成を示す図である。
【図２】図２は、実施の形態１に係る基地局装置の構成を示すブロック図である。
【図３】図３は、実施の形態１に係る端末装置の構成を示すブロック図である。
【図４】図４は、実施の形態１に係る下りデータに関する制御情報送信処理を示すフロー図である。
【図５】図５は、ＦＤＤ（Frequency  Division  Duplex）のサブフレーム構成の具体例を示す図である。
【図６】図６は、ＴＤＤ（Time  Division  Duplex）のサブフレーム構成の具体例を示す図である。
【図７】図７は、実施の形態１に係る上りデータに関する制御情報送信処理を示すフロー図である。
【図８】図８は、ＦＤＤのサブフレーム構成の具体例を示す図である。
【図９】図９は、ＴＤＤのサブフレーム構成の具体例を示す図である。
【図１０】図１０は、実施の形態２に係る基地局装置の構成を示すブロック図である。
【図１１】図１１は、実施の形態２に係る下りデータに関する制御情報送信処理を示すフロー図である。
【図１２】図１２は、ＦＤＤのサブフレーム構成の具体例を示す図である。
【図１３】図１３は、ＦＤＤのサブフレーム構成の具体例を示す図である。
【図１４】図１４は、セルフコンテインド（Self-contained）サブフレーム構成の具体例を示す図である。
【発明を実施するための形態】
【００１１】
以下、本願が開示する基地局装置、端末装置、無線通信システム及び無線通信方法の実施の形態について、図面を参照して詳細に説明する。なお、この実施の形態により本発明が限定されるものではない。
【００１２】
（実施の形態１）
図１は、実施の形態１に係る無線通信システムの構成を示す図である。図１に示すように、無線通信システムは、基地局装置１００と、端末装置２００とを有する。基地局装置１００と端末装置２００とは、互いに無線通信を実行する。以下では、基地局装置１００から端末装置２００へ送信される信号を下り信号といい、端末装置２００から基地局装置１００へ送信される信号を上り信号という。
【００１３】
基地局装置１００は、無線部１００ａ、プロセッサ１００ｂ及びメモリ１００ｃを有する。無線部１００ａは、プロセッサ１００ｂから出力される下り信号に所定の無線送信処理を施し、アンテナを介して送信する。また、無線部１００ａは、アンテナを介して上り信号を受信し、上り信号に所定の無線受信処理を施す。
【００１４】
プロセッサ１００ｂは、例えばＣＰＵ（Central  Processing  Unit）、ＦＰＧＡ（Field  Programmable  Gate  Array）又はＤＳＰ（Digital  Signal  Processor）などを備え、基地局装置１００全体を統括制御する。すなわち、プロセッサ１００ｂは、送信データを符号化及び変調して下り信号のデータチャネルを生成し、無線部１００ａへ出力する。また、プロセッサ１００ｂは、制御情報を符号化及び変調して下り信号の制御チャネルを生成し、無線部１００ａへ出力する。さらに、プロセッサ１００ｂは、無線部１００ａから入力される上り信号のデータチャネルを復調及び復号し、受信データを得る。
【００１５】
メモリ１００ｃは、例えばＲＡＭ（Random  Access  Memory）又はＲＯＭ（Read  Only  Memory）などを備え、プロセッサ１００ｂによって処理が実行される際に、種々の情報を記憶する。基地局装置１００の構成については、後に詳述する。
【００１６】
端末装置２００は、無線部２００ａ、プロセッサ２００ｂ及びメモリ２００ｃを有する。無線部２００ａは、アンテナを介して下り信号を受信し、下り信号に所定の無線受信処理を施す。また、無線部２００ａは、プロセッサ２００ｂから出力される上り信号に所定の無線送信処理を施し、アンテナを介して送信する。
【００１７】
プロセッサ２００ｂは、例えばＣＰＵ、ＦＰＧＡ又はＤＳＰなどを備え、端末装置２００全体を統括制御する。すなわち、プロセッサ２００ｂは、無線部２００ａから入力される下り信号の制御チャネルを復調及び復号し、制御情報を得る。そして、プロセッサ２００ｂは、無線部２００ａから入力される下り信号のデータチャネルを制御情報を用いて復調及び復号し、受信データを得る。また、プロセッサ２００ｂは、送信データを符号化及び変調して上り信号のデータチャネルを生成し、無線部２００ａへ出力する。
【００１８】
メモリ２００ｃは、例えばＲＡＭ又はＲＯＭなどを備え、プロセッサ２００ｂによって処理が実行される際に、種々の情報を記憶する。端末装置２００の構成については、後に詳述する。
【００１９】
図２は、実施の形態１に係る基地局装置１００の構成を示すブロック図である。図２に示す基地局装置１００は、データチャネル生成部（以下「データＣＨ生成部」と略記する）１０１、スケジューラ１０２、第１制御チャネル生成部（以下「第１制御ＣＨ生成部」と略記する）１０３、第２制御チャネル生成部（以下「第２制御ＣＨ生成部」と略記する）１０４、多重部１０５、無線送信部１０６、無線受信部１０７及びデータチャネル処理部（以下「データＣＨ処理部」と略記する）１０８を有する。
【００２０】
なお、無線送信部１０６及び無線受信部１０７は、図１に示した無線部１００ａに対応し、他の処理部は、図１に示したプロセッサ１００ｂに対応する。また、以下においては、主に基地局装置１００と端末装置２００の間の無線通信について説明するが、基地局装置１００は、端末装置２００以外の他の端末装置とも同様に無線通信を実行する。
【００２１】
データＣＨ生成部１０１は、送信データを符号化及び変調することにより、端末装置２００宛ての下り信号のデータチャネルを生成する。すなわち、データＣＨ生成部１０１は、下り信号のサブフレーム内の端末装置２００に対応するリソースブロックに、端末装置２００宛ての送信データを配置する。
【００２２】
スケジューラ１０２は、端末装置２００を含む複数の端末装置に対する下り信号の送信タイミング、無線リソース割り当て、変調方式及び符号化率などを決定する下りのスケジューリングを実行する。また、スケジューラ１０２は、複数の端末装置からの上り信号の送信タイミング、無線リソース割り当て、変調方式及び符号化率などを決定する上りのスケジューリングを実行する。そして、スケジューラ１０２は、スケジューリングの結果を第１制御ＣＨ生成部１０３及び第２制御ＣＨ生成部１０４へ通知する。
【００２３】
第１制御ＣＨ生成部１０３は、スケジューリングの結果に基づいて、端末装置２００宛ての制御情報が送信されるサブフレームを特定し、特定したサブフレームを指定する情報を含む第１制御チャネルを生成する。すなわち、第１制御ＣＨ生成部１０３は、端末装置２００に対する下り信号の送信タイミングに対応するサブフレームを特定し、特定されたサブフレームが端末装置２００宛ての制御情報が送信されるサブフレームであると判断する。そして、第１制御ＣＨ生成部１０３は、所定数のサブフレームごとに周期的に設けられる第１制御チャネル用のリソースブロックに、端末装置２００宛ての制御情報が送信されるサブフレームの識別情報を配置する。
【００２４】
なお、第１制御ＣＨ生成部１０３は、端末装置２００宛ての制御情報が下り回線のデータに関する制御情報（以下「下り制御情報」という）であるか上り回線のデータに関する制御情報（以下「上り制御情報」という）であるかを区別して第１制御チャネルを生成しても良い。すなわち、第１制御ＣＨ生成部１０３は、下り制御情報を含むサブフレームであるか上り制御情報を含むサブフレームであるかを区別してサブフレームの識別情報を第１制御チャネルに配置しても良い。また、第１制御チャネルが割り当てられるサブフレームの周期は、端末装置ごとに異なっても良く、例えば無線リソースの制御に用いられるＲＲＣ（Radio  Resource  Control）シグナリングによって各端末装置へ通知されても良い。
【００２５】
第２制御ＣＨ生成部１０４は、制御情報を符号化及び変調することにより、端末装置２００宛ての第２制御チャネルを生成する。このとき、第２制御ＣＨ生成部１０４は、第１制御チャネルによって端末装置２００へ識別情報が通知されたサブフレームに、第２制御チャネルを割り当てる。すなわち、第２制御ＣＨ生成部１０４は、第１制御チャネルで識別情報が示されたサブフレームの第２制御チャネル用のリソースブロックに、例えば端末装置２００宛てのデータチャネルの符号化率及び変調方式を示す情報などを含む下り制御情報を配置する。第２制御チャネルに配置される下り制御情報には、他にも例えば端末装置２００に割り当てられるデータチャネルを配置するリソースブロックを示す情報や、データチャネルに含まれる送信データが新規送信されたものか再送されたものかを示す情報などが含まれても良い。
【００２６】
また、第２制御ＣＨ生成部１０４は、第２制御チャネル用のリソースブロックに、例えば端末装置２００が上りデータチャネルの送信に用いるパラメータを示す情報などを含む上り制御情報を配置する。このとき、第２制御ＣＨ生成部１０４は、第１制御チャネルによって上り制御情報を含むサブフレームに指定されたサブフレームに上り制御情報を配置する。
【００２７】
多重部１０５は、データＣＨ生成部１０１、第１制御ＣＨ生成部１０３及び第２制御ＣＨ生成部１０４によって生成されたデータチャネル、第１制御チャネル及び第２制御チャネルを多重し、下り信号を生成する。
【００２８】
無線送信部１０６は、多重部１０５によって生成された下り信号に対して、例えばＤ／Ａ（Digital/Analog）変換及びアップコンバートなどの無線送信処理を実行し、アンテナを介して送信する。
【００２９】
無線受信部１０７は、アンテナを介して上り信号を受信し、上り信号に対して例えばダウンコンバート及びＡ／Ｄ（Analog/Digital）変換などの無線受信処理を実行する。
【００３０】
データＣＨ処理部１０８は、上り信号を復調及び復号することにより、上り信号のデータチャネルから受信データを取得する。
【００３１】
図３は、実施の形態１に係る端末装置２００の構成を示すブロック図である。図３に示す端末装置２００は、無線受信部２０１、制御チャネル処理部（以下「制御ＣＨ処理部」と略記する）２０２、データチャネル処理部（以下「データＣＨ処理部」と略記する）２０３、データチャネル生成部（以下「データＣＨ生成部」と略記する）２０４及び無線送信部２０５を有する。
【００３２】
なお、無線受信部２０１及び無線送信部２０５は、図１に示した無線部２００ａに対応し、他の処理部は、図１に示したプロセッサ２００ｂに対応する。
【００３３】
無線受信部２０１は、アンテナを介して下り信号を受信し、下り信号に対して例えばダウンコンバート及びＡ／Ｄ変換などの無線受信処理を実行する。
【００３４】
制御ＣＨ処理部２０２は、下り信号を復調及び復号することにより、あらかじめ通知された所定のサブフレームの第１制御チャネルから、第２制御チャネルが含まれるサブフレームの識別情報を取得する。そして、制御ＣＨ処理部２０２は、取得された識別情報に対応するサブフレームの第２制御チャネルから、下り制御情報及び上り制御情報を取得する。
【００３５】
第２制御チャネルを含むサブフレームの識別情報が第１制御チャネルによって通知されるため、制御ＣＨ処理部２０２は、すべてのサブフレームをモニタリングして制御情報を取得する必要がない。すなわち、制御ＣＨ処理部２０２は、第１制御チャネルによって識別情報が通知されたサブフレームのみをモニタリングして端末装置２００宛ての制御情報を取得すれば良く、受信処理の負荷を低減することができる。
【００３６】
データＣＨ処理部２０３は、第２制御チャネルから取得された下り制御情報を用いて下りデータチャネルを復調及び復号することにより、端末装置２００宛てのデータチャネルから受信データを取得する。
【００３７】
データＣＨ生成部２０４は、第２制御チャネルから取得された上り制御情報を用いて送信データを符号化及び変調することにより、上りデータチャネルを生成する。すなわち、データＣＨ生成部２０４は、第２制御チャネルに含まれる上り制御情報によって指定されたサブフレーム内のリソースブロックに、上りデータチャネルを配置する。
【００３８】
無線送信部２０５は、データＣＨ生成部２０４によって生成されたデータチャネルを含む上り信号に対して、例えばＤ／Ａ変換及びアップコンバートなどの無線送信処理を実行し、アンテナを介して送信する。
【００３９】
次いで、上記のように構成された基地局装置１００による下り制御情報の送信処理について、図４に示すフロー図を参照しながら説明する。
【００４０】
基地局装置１００が端末装置２００と通信を開始する際には、第１制御チャネルが送信される周期などが設定され（ステップＳ１０１）、第１制御チャネルに関する設定が例えばＲＲＣシグナリングによって端末装置２００へ通知される。第１制御チャネルの設定は、例えば基地局装置１００におけるトラヒック量や端末装置２００の移動速度などに基づいて、適宜変更されても良い。
【００４１】
また、基地局装置１００においては、スケジューラ１０２によって、端末装置２００を含む複数の端末装置に対して下り回線及び上り回線の無線リソースを割り当てるスケジューリングが実行される（ステップＳ１０２）。スケジューリングによって、各端末装置宛ての下り信号の送信タイミングや、各端末装置からの上り信号の送信タイミングが決定される。このスケジューリングの結果は、スケジューラ１０２から第１制御ＣＨ生成部１０３へ通知される。
【００４２】
そして、第１制御ＣＨ生成部１０３によって、あらかじめ設定された第１制御チャネルの送信周期に該当するサブフレームが到来したか否かが判定される（ステップＳ１０３）。この判定の結果、第１制御チャネルの送信周期に該当するサブフレームが到来した場合は（ステップＳ１０３Ｙｅｓ）、第１制御ＣＨ生成部１０３によって、スケジューリングの結果から端末装置２００宛ての制御情報が送信されるサブフレームが特定される。すなわち、例えば端末装置２００宛ての下り信号の送信タイミングと決定されたサブフレームが、端末装置２００宛ての制御情報が送信されるサブフレームとして特定される。
【００４３】
そして、第１制御ＣＨ生成部１０３によって、特定したサブフレームの識別情報を含む第１制御チャネルが生成される（ステップＳ１０４）。一方、ステップＳ１０３の判定の結果、第１制御チャネルの送信周期に該当するサブフレームが到来していない場合は（ステップＳ１０３Ｎｏ）、第１制御チャネルは生成されない。
【００４４】
そして、第２制御ＣＨ生成部１０４によって、現在のサブフレームで送信されるか又は既に送信済みの第１制御チャネルに含まれる識別情報に対応するサブフレームが到来したか否かが判定される（ステップＳ１０５）。換言すれば、第２制御ＣＨ生成部１０４によって、端末装置２００宛ての制御情報を送信すべきサブフレームが到来したか否かが判定される。判定の結果、端末装置２００宛ての制御情報を送信すべきサブフレームが到来した場合は（ステップＳ１０５Ｙｅｓ）、第２制御ＣＨ生成部１０４によって、端末装置２００宛ての制御情報が符号化及び変調されることにより、第２制御チャネルが生成される（ステップＳ１０６）。また、データＣＨ生成部１０１によって、端末装置２００宛ての送信データが符号化及び変調されることにより、下りのデータチャネルが生成される（ステップＳ１０７）。ここでは、第２制御チャネルに含まれる制御情報は、下りのデータチャネルの復調及び復号などに用いられる情報である。すなわち、第２制御チャネルは、下り制御情報を含む。
【００４５】
ここまでの処理によって、第１制御チャネル、第２制御チャネル又はデータチャネルのいずれかを送信すべきサブフレームが到来した場合には、これらのチャネルを含む送信信号が生成される。すなわち、多重部１０５によって、送信すべきチャネルが生成されているか否かが判断され（ステップＳ１０８）、いずれのチャネルも生成されていない場合は（ステップＳ１０８Ｎｏ）、第１制御チャネル及び第２制御チャネルのいずれの送信タイミングでもないため、制御情報が送信されることはない。一方、いずれかのチャネルが生成されている場合は（ステップＳ１０８Ｙｅｓ）、生成された第１制御チャネル、第２制御チャネル及びデータチャネルの少なくとも１つが多重部１０５によって時間多重及び周波数多重され（ステップＳ１０９）、下り信号が生成される。そして、第１制御チャネル、第２制御チャネル及びデータチャネルの少なくとも１つが配置されたサブフレームを含む下り信号が無線送信部１０６からアンテナを介して送信される（ステップＳ１１０）。
【００４６】
次に、下り制御情報が送信される際のサブフレーム構成の具体例について説明する。図５は、ＦＤＤ（Frequency  Division  Duplex）のサブフレーム構成の具体例を示す図である。ＦＤＤでは、下り回線と上り回線とで異なる周波数帯域が用いられるが、図５においては、下り回線のサブフレーム構成が示されている。
【００４７】
図５に示すように、第１制御チャネルは、例えば１０サブフレーム周期のサブフレーム＃０によって送信される。すなわち、図５のサブフレーム＃０の例えば斜線のパターンで示すリソースブロックが第１制御チャネルに割り当てられる。第１制御チャネルには、下り制御情報を含む第２制御チャネルが伝送されるサブフレームの識別情報が含まれている。
【００４８】
第１制御チャネルに含まれるサブフレームの識別情報は、基地局装置１００におけるスケジューリングによって決定される。例えばサブフレーム＃１、＃３、＃８において端末装置２００宛ての制御情報を送信することがスケジューリングによって決定されると、これらのサブフレーム＃１、＃３、＃８の識別情報が第１制御チャネルによって端末装置２００へ通知される。同様に、次の第１制御チャネルが送信される際のスケジューリングでは、例えばサブフレーム＃２、＃３、＃６において端末装置２００宛ての制御情報を送信することが決定されると、これらのサブフレーム＃２、＃３、＃６の識別情報が第１制御チャネルで通知される。
【００４９】
そして、第１制御チャネルで端末装置２００へ通知されたサブフレームには、端末装置２００宛ての第２制御チャネルとデータチャネルとが割り当てられる。図５においては、第２制御チャネルを横線のパターンで示し、データチャネルをドットのパターンで示す。第２制御チャネルには、データチャネルを復調及び復号する際に用いられる通信パラメータなどの制御情報が含まれる。
【００５０】
第２制御チャネルに含まれる制御情報は、例えば端末装置２００宛てのデータチャネルが割り当てられる物理リソースブロック（ＰＲＢ：Physical  Resource  Block）の情報や、データチャネルの変調方式及び符号化率（ＭＣＳ：Modulation  and  Coding  Scheme）の情報などを含んでも良い。さらに、第２制御チャネルに含まれる制御情報は、新規データ及び再送データを識別する情報（ＮＤＩ：New  Data  Indicator）や、符号化時の冗長性に関する情報（ＲＶ：Redundancy  Version）などを含んでも良い。
【００５１】
図６は、ＴＤＤ（Time  Division  Duplex）のサブフレーム構成の具体例を示す図である。ＴＤＤでは、下り回線と上り回線とで同一の周波数帯域が用いられるが、各サブフレームが下り回線のサブフレームと上り回線のサブフレームとに分けられる。図６においては、下り回線のサブフレームを「Ｄ」で示し、上り回線のサブフレームを「∪」で示す。また、「Ｓ」で示されるサブフレームは、下り回線のサブフレームと上り回線のサブフレームとの境界のサブフレームであり、下り回線の伝送時間と上り回線の伝送時間との双方を含む。
【００５２】
図６に示すように、ＴＤＤが採用される場合も、第１制御チャネルは、例えば１０サブフレーム周期の下り回線のサブフレーム＃０によって送信される。すなわち、図６のサブフレーム＃０の例えば斜線のパターンで示すリソースブロックが第１制御チャネルに割り当てられる。第１制御チャネルには、下り制御情報を含む第２制御チャネルが伝送される下り回線のサブフレームの識別情報が含まれている。
【００５３】
第１制御チャネルに含まれるサブフレームの識別情報は、基地局装置１００におけるスケジューリングによって決定される。例えば下り回線のサブフレーム＃０、＃４、＃９において端末装置２００宛ての制御情報を送信することがスケジューリングによって決定されると、これらのサブフレーム＃０、＃４、＃９の識別情報が第１制御チャネルによって端末装置２００へ通知される。同様に、次の第１制御チャネルが送信される際のスケジューリングでは、例えば下り回線のサブフレーム＃４、＃５において端末装置２００宛ての制御情報を送信することが決定されると、これらのサブフレーム＃４、＃５の識別情報が第１制御チャネルで通知される。ＴＤＤが採用される場合には、制御情報が下り回線のサブフレームで伝送されるため、第１制御チャネルで通知されるサブフレームの識別情報は、下り回線のサブフレームの識別情報となる。また、第１制御チャネルを含むサブフレーム＃０も下り回線のサブフレームであるため、サブフレーム＃０に第２制御チャネルが割り当てられても良い。
【００５４】
そして、第１制御チャネルで端末装置２００へ通知された下り回線のサブフレームには、端末装置２００宛ての第２制御チャネルとデータチャネルとが割り当てられる。図６においては、第２制御チャネルを横線のパターンで示し、データチャネルをドットのパターンで示す。第２制御チャネルには、データチャネルを復調及び復号する際に用いられる通信パラメータなどの制御情報が含まれる。すなわち、ＦＤＤが採用される場合と同様に、ＰＲＢ、ＭＣＳ、ＮＤＩ及びＲＶなどが第２制御チャネルに含まれる。
【００５５】
次いで、基地局装置１００による上り制御情報の送信処理について、図７に示すフロー図を参照しながら説明する。図７において、図４と同じ部分には同じ符号を付し、その詳しい説明を省略する。
【００５６】
基地局装置１００が端末装置２００と通信を開始する際には、第１制御チャネルが送信される周期などが設定され（ステップＳ１０１）、第１制御チャネルに関する設定が例えばＲＲＣシグナリングによって端末装置２００へ通知される。また、基地局装置１００においては、スケジューラ１０２によって、端末装置２００を含む複数の端末装置に対して下り回線及び上り回線の無線リソースを割り当てるスケジューリングが実行される（ステップＳ１０２）。
【００５７】
そして、第１制御ＣＨ生成部１０３によって、あらかじめ設定された第１制御チャネルの送信周期に該当するサブフレームが到来したか否かが判定される（ステップＳ１０３）。この判定の結果、第１制御チャネルの送信周期に該当するサブフレームが到来した場合は（ステップＳ１０３Ｙｅｓ）、第１制御ＣＨ生成部１０３によって、スケジューリングの結果から端末装置２００宛ての制御情報が送信されるサブフレームが特定される。そして、第１制御ＣＨ生成部１０３によって、特定したサブフレームの識別情報を含む第１制御チャネルが生成される（ステップＳ１０４）。一方、ステップＳ１０３の判定の結果、第１制御チャネルの送信周期に該当するサブフレームが到来していない場合は（ステップＳ１０３Ｎｏ）、第１制御チャネルは生成されない。
【００５８】
そして、第２制御ＣＨ生成部１０４によって、現在のサブフレームで送信されるか又は既に送信済みの第１制御チャネルに含まれる識別情報に対応するサブフレームが到来したか否かが判定される（ステップＳ１０５）。換言すれば、第２制御ＣＨ生成部１０４によって、端末装置２００宛ての制御情報を送信すべきサブフレームが到来したか否かが判定される。判定の結果、端末装置２００宛ての制御情報を送信すべきサブフレームが到来した場合は（ステップＳ１０５Ｙｅｓ）、第２制御ＣＨ生成部１０４によって、端末装置２００宛ての制御情報が符号化及び変調されることにより、第２制御チャネルが生成される（ステップＳ１０６）。ここでは、第２制御チャネルに含まれる制御情報は、上りのデータチャネルの符号化及び変調などに用いられる情報である。すなわち、第２制御チャネルは、上り制御情報を含む。
【００５９】
ここまでの処理によって、第１制御チャネル又は第２制御チャネルのいずれかを送信すべきサブフレームが到来した場合には、これらのチャネルを含む送信信号が生成される。すなわち、多重部１０５によって、送信すべきチャネルが生成されているか否かが判断され（ステップＳ１０８）、いずれのチャネルも生成されていない場合は（ステップＳ１０８Ｎｏ）、第１制御チャネル及び第２制御チャネルのいずれの送信タイミングでもないため、制御情報が送信されることはない。一方、いずれかのチャネルが生成されている場合は（ステップＳ１０８Ｙｅｓ）、生成された第１制御チャネル及び第２制御チャネルの少なくとも１つが多重部１０５によって時間多重及び周波数多重され（ステップＳ１０９）、下り信号が生成される。そして、第１制御チャネル及び第２制御チャネルの少なくとも１つが配置されたサブフレームを含む下り信号が無線送信部１０６からアンテナを介して送信される（ステップＳ１１０）。
【００６０】
また、既に送信済みの第２制御チャネルに含まれる制御情報に従って端末装置２００から上り信号が送信されるサブフレームが到来したか否かが判断され（ステップＳ２０１）、このサブフレームが到来していれば（ステップＳ２０１Ｙｅｓ）、上り信号が無線受信部１０７によって受信される（ステップＳ２０２）。
【００６１】
次に、上り制御情報が送信される際のサブフレーム構成の具体例について説明する。図８は、ＦＤＤのサブフレーム構成の具体例を示す図である。ＦＤＤでは、下り回線と上り回線とで異なる周波数帯域が用いられる。
【００６２】
図８に示すように、第１制御チャネルは、例えば１０サブフレーム周期の下り周波数のサブフレーム＃０によって送信される。すなわち、図８のサブフレーム＃０の例えば斜線のパターンで示すリソースブロックが第１制御チャネルに割り当てられる。第１制御チャネルには、上り制御情報を含む第２制御チャネルが伝送されるサブフレームの識別情報が含まれている。
【００６３】
第１制御チャネルに含まれるサブフレームの識別情報は、基地局装置１００におけるスケジューリングによって決定される。例えば上り周波数のサブフレーム＃２、＃４、＃９において端末装置２００からの上り信号の送信を許可することがスケジューリングによって決定されると、これらのサブフレーム＃２、＃４、＃９の所定数前のサブフレームで上り制御情報を通知することが決定される。ここでは、例えば１サブフレーム前に制御情報が通知されるものとすると、サブフレーム＃１、＃３、＃８の識別情報が第１制御チャネルによって端末装置２００へ通知される。同様に、次の第１制御チャネルが送信される際のスケジューリングでは、例えばサブフレーム＃２、＃３、＃６において端末装置２００宛ての制御情報を送信することが決定されると、これらのサブフレーム＃２、＃３、＃６の識別情報が第１制御チャネルで通知される。
【００６４】
そして、第１制御チャネルで端末装置２００へ通知されたサブフレームには、端末装置２００宛ての第２制御チャネルが割り当てられる。図８においては、第２制御チャネルを横線のパターンで示す。第２制御チャネルには、上り回線のデータチャネルを符号化及び変調する際に用いられる通信パラメータなどの制御情報が含まれる。
【００６５】
第２制御チャネルに含まれる制御情報は、例えば端末装置２００からのデータチャネルが割り当てられるＰＲＢの情報などを含んでも良い。第２制御チャネルが端末装置２００によって受信されると、端末装置２００は、上りのデータチャネルの送信が許可されたことを把握し、第２制御チャネルを含むサブフレームから所定数後の上り周波数のサブフレームによって上りのデータチャネルを送信する。図８においては、ドットのパターンで示すように、第２制御チャネルの１サブフレーム後に上りのデータチャネルが送信される。
【００６６】
図９は、ＴＤＤのサブフレーム構成の具体例を示す図である。ＴＤＤでは、下り回線と上り回線とで同一の周波数帯域が用いられるが、各サブフレームが下り回線のサブフレームと上り回線のサブフレームとに分けられる。図９においては、下り回線のサブフレームを「Ｄ」で示し、上り回線のサブフレームを「∪」で示す。また、「Ｓ」で示されるサブフレームは、下り回線のサブフレームと上り回線のサブフレームとの境界のサブフレームであり、下り回線の伝送時間と上り回線の伝送時間との双方を含む。
【００６７】
図９に示すように、ＴＤＤが採用される場合も、第１制御チャネルは、例えば１０サブフレーム周期の下り回線のサブフレーム＃０によって送信される。すなわち、図９のサブフレーム＃０の例えば斜線のパターンで示すリソースブロックが第１制御チャネルに割り当てられる。第１制御チャネルには、上り制御情報を含む第２制御チャネルが伝送される下り回線のサブフレームの識別情報が含まれている。
【００６８】
第１制御チャネルに含まれるサブフレームの識別情報は、基地局装置１００におけるスケジューリングによって決定される。例えば上り回線のサブフレーム＃２、＃３、＃８において端末装置２００からの上り信号の送信を許可することがスケジューリングによって決定されると、これらのサブフレーム＃２、＃３、＃８の所定数前のサブフレームで上り制御情報を通知することが決定される。ここでは、例えば２サブフレーム前に制御情報が通知されるものとすると、サブフレーム＃０、＃１、＃６の識別情報が第１制御チャネルによって端末装置２００へ通知される。同様に、次の第１制御チャネルが送信される際のスケジューリングでは、例えば下り回線のサブフレーム＃１、＃５において端末装置２００宛ての制御情報を送信することが決定されると、これらのサブフレーム＃１、＃５の識別情報が第１制御チャネルで通知される。ＴＤＤが採用される場合には、制御情報が下り回線のサブフレームで伝送されるため、第１制御チャネルで通知されるサブフレームの識別情報は、下り回線のサブフレームの識別情報となる。また、第１制御チャネルを含むサブフレーム＃０も下り回線のサブフレームであるため、サブフレーム＃０に第２制御チャネルが割り当てられても良い。
【００６９】
そして、第１制御チャネルで端末装置２００へ通知された下り回線のサブフレームには、端末装置２００宛ての第２制御チャネルが割り当てられる。図９においては、第２制御チャネルを横線のパターンで示す。第２制御チャネルには、上り回線のデータチャネルを符号化及び変調する際に用いられる通信パラメータなどの制御情報が含まれる。すなわち、ＦＤＤが採用される場合と同様に、上り回線のデータチャネルが割り当てられるＰＲＢなどが第２制御チャネルに含まれる。第２制御チャネルが端末装置２００によって受信されると、端末装置２００は、上りのデータチャネルの送信が許可されたことを把握し、第２制御チャネルを含むサブフレームから所定数後の上り周波数のサブフレームによって上りのデータチャネルを送信する。図９においては、ドットのパターンで示すように、第２制御チャネルの２サブフレーム後に上りのデータチャネルが送信される。
【００７０】
以上のように、本実施の形態によれば、所定周期で送信される第１制御チャネルによって、周期内に送信される第２制御チャネルの送信タイミングを通知し、第２制御チャネルによって、通信パラメータなどの制御情報を送信する。このため、制御情報が送信される頻度を第１制御チャネルによって変更することができ、状況に応じた柔軟な通信設定をすることができる。
【００７１】
（実施の形態２）
実施の形態２の特徴は、第１制御チャネルによって制御情報の一部を伝送し、制御情報によるオーバーヘッドの増大を抑制する点である。
【００７２】
実施の形態２に係る無線通信システムの構成は、実施の形態１（図１）と同様であるため、その説明を省略する。
【００７３】
図１０は、実施の形態２に係る基地局装置１００の構成を示すブロック図である。図１０において、図２と同じ部分には同じ符号を付し、その説明を省略する。図１０に示す基地局装置１００は、図２に示す基地局装置１００に配分決定部３０１を追加した構成を採る。
【００７４】
配分決定部３０１は、制御情報の第１制御チャネル及び第２制御チャネルへの配分を決定し、決定した配分に従って制御情報を第１制御ＣＨ生成部１０３及び第２制御ＣＨ生成部１０４へ出力する。このとき、配分決定部３０１は、例えば基地局装置１００におけるトラヒック量や端末装置２００の移動速度などに基づいて、制御情報の配分を決定しても良い。すなわち、例えば基地局装置１００におけるトラヒック量が多い場合には、配分決定部３０１は、第１制御チャネルに配分される制御情報を増やすことにより、各サブフレームにおけるオーバーヘッドを小さくし、データチャネルに割り当てられる無線リソースを多くする。また、例えば端末装置２００の移動速度が小さく端末装置２００に関する通信パラメータの変化が少ない場合には、配分決定部３０１は、第１制御チャネルに配分される制御情報を増やすことにより、各サブフレームにおけるオーバーヘッドを小さくする。このような制御チャネルの配分は、端末装置ごとに異なっていて良い。
【００７５】
また、配分決定部３０１は、決定した制御情報の配分に関する情報をデータＣＨ生成部１０１に送信させる。すなわち、配分決定部３０１は、どの制御情報が第１制御チャネルに配分され、どの制御情報が第２制御チャネルに配分されたかを示す配分情報をデータＣＨ生成部１０１を介して送信する。
【００７６】
次いで、上記のように構成された基地局装置１００による下り制御情報の送信処理について、図１１に示すフロー図を参照しながら説明する。図１１において、図４と同じ部分には同じ符号を付し、その詳しい説明を省略する。
【００７７】
基地局装置１００が端末装置２００と通信を開始する際には、第１制御チャネルが送信される周期などが設定され（ステップＳ１０１）、第１制御チャネルに関する設定が例えばＲＲＣシグナリングによって端末装置２００へ通知される。また、配分決定部３０１によって、例えば基地局装置１００におけるトラヒック量や端末装置２００の移動速度などに基づいて、制御情報の第１制御チャネル及び第２制御チャネルへの配分が決定される（ステップＳ３０１）。
【００７８】
具体的には、例えば制御情報のうち、データチャネルが割り当てられる物理リソースブロック（ＰＲＢ）の情報やデータチャネルの変調方式及び符号化率（ＭＣＳ）の情報を第１制御チャネルに割り当て、新規データを識別する情報（ＮＤＩ）や符号化時の冗長性に関する情報（ＲＶ）を第２制御チャネルに割り当てることが決定される。このように、例えばＰＲＢ及びＭＣＳの情報など比較的時間変動が小さい制御情報が第１制御チャネルに配分され、例えばＮＤＩ及びＲＶなど比較的時間変動が大きい制御情報が第２制御チャネルに配分される。そして、制御情報の第１制御チャネル及び第２制御チャネルへの配分に関する配分情報がデータＣＨ生成部１０１から多重部１０５及び無線送信部１０６を介して、例えばＲＲＣシグナリングによって、端末装置２００へ通知される。
【００７９】
また、基地局装置１００においては、スケジューラ１０２によって、端末装置２００を含む複数の端末装置に対して下り回線及び上り回線の無線リソースを割り当てるスケジューリングが実行される（ステップＳ１０２）。
【００８０】
そして、第１制御ＣＨ生成部１０３によって、あらかじめ設定された第１制御チャネルの送信周期に該当するサブフレームが到来したか否かが判定される（ステップＳ１０３）。この判定の結果、第１制御チャネルの送信周期に該当するサブフレームが到来した場合は（ステップＳ１０３Ｙｅｓ）、第１制御ＣＨ生成部１０３によって、スケジューリングの結果から端末装置２００宛ての制御情報が送信されるサブフレームが特定される。そして、第１制御ＣＨ生成部１０３によって、特定したサブフレームの識別情報と第１制御チャネルに配分された制御情報とを含む第１制御チャネルが生成される（ステップＳ１０４）。すなわち、サブフレームの識別情報とともに、例えばＰＲＢ及びＭＣＳの情報を含む第１制御チャネルが生成される。一方、ステップＳ１０３の判定の結果、第１制御チャネルの送信周期に該当するサブフレームが到来していない場合は（ステップＳ１０３Ｎｏ）、第１制御チャネルは生成されない。
【００８１】
そして、第２制御ＣＨ生成部１０４によって、現在のサブフレームで送信されるか又は既に送信済みの第１制御チャネルに含まれる識別情報に対応するサブフレームが到来したか否かが判定される（ステップＳ１０５）。換言すれば、第２制御ＣＨ生成部１０４によって、端末装置２００宛ての制御情報を送信すべきサブフレームが到来したか否かが判定される。判定の結果、端末装置２００宛ての制御情報を送信すべきサブフレームが到来した場合は（ステップＳ１０５Ｙｅｓ）、第２制御ＣＨ生成部１０４によって、第２制御チャネルに配分された制御情報が符号化及び変調されることにより、第２制御チャネルが生成される（ステップＳ１０６）。すなわち、第１制御チャネルによって伝送されなかった例えばＮＤＩ及びＲＶを含む第２制御チャネルが生成される。また、データＣＨ生成部１０１によって、端末装置２００宛ての送信データが符号化及び変調されることにより、下りのデータチャネルが生成される（ステップＳ１０７）。
【００８２】
ここまでの処理によって、第１制御チャネル、第２制御チャネル又はデータチャネルのいずれかを送信すべきサブフレームが到来した場合には、これらのチャネルを含む送信信号が生成される。すなわち、多重部１０５によって、送信すべきチャネルが生成されているか否かが判断され（ステップＳ１０８）、いずれのチャネルも生成されていない場合は（ステップＳ１０８Ｎｏ）、第１制御チャネル及び第２制御チャネルのいずれの送信タイミングでもないため、制御情報が送信されることはない。一方、いずれかのチャネルが生成されている場合は（ステップＳ１０８Ｙｅｓ）、生成された第１制御チャネル、第２制御チャネル及びデータチャネルの少なくとも１つが多重部１０５によって時間多重及び周波数多重され（ステップＳ１０９）、下り信号が生成される。そして、第１制御チャネル、第２制御チャネル及びデータチャネルの少なくとも１つが配置されたサブフレームを含む下り信号が無線送信部１０６からアンテナを介して送信される（ステップＳ１１０）。
【００８３】
次に、下り制御情報が送信される際のサブフレーム構成の具体例について説明する。図１２は、ＦＤＤのサブフレーム構成の具体例を示す図である。ＦＤＤでは、下り回線と上り回線とで異なる周波数帯域が用いられるが、図１２においては、下り回線のサブフレーム構成が示されている。
【００８４】
図１２に示すように、第１制御チャネルは、例えば１０サブフレーム周期のサブフレーム＃０によって送信される。すなわち、図１２のサブフレーム＃０の例えば斜線のパターンで示すリソースブロックが第１制御チャネルに割り当てられる。第１制御チャネルには、下り制御情報を含む第２制御チャネルが伝送されるサブフレームの識別情報と、配分決定部３０１によって第１制御チャネルに配分された制御情報とが含まれる。
【００８５】
第１制御チャネルに含まれるサブフレームの識別情報は、基地局装置１００におけるスケジューリングによって決定される。例えばサブフレーム＃１、＃３、＃８において端末装置２００宛ての制御情報を送信することがスケジューリングによって決定されると、これらのサブフレーム＃１、＃３、＃８の識別情報が第１制御チャネルによって端末装置２００へ通知される。また、第１制御チャネルには、比較的長時間にわたって変更されない通信パラメータなどの制御情報が配分される。図１２においては、例えば端末装置２００宛てのデータチャネルが割り当てられる物理リソースブロック（ＰＲＢ）の情報が第１制御チャネルに配分されている。
【００８６】
そして、第１制御チャネルで端末装置２００へ通知されたサブフレームには、端末装置２００宛ての第２制御チャネルとデータチャネルとが割り当てられる。図１２においては、第２制御チャネルを横線のパターンで示し、データチャネルをドットのパターンで示す。第２制御チャネルには、配分決定部３０１によって第２制御チャネルに配分された制御情報が含まれる。すなわち、第２制御チャネルには、比較的短時間で変更される通信パラメータなどの制御情報が含まれる。
【００８７】
図１２においては、例えばデータチャネルの変調方式及び符号化率（ＭＣＳ）の情報、新規データ及び再送データを識別する情報（ＮＤＩ）、及び符号化時の冗長性に関する情報（ＲＶ）が第２制御チャネルに配分されている。
【００８８】
図１３は、ＦＤＤのサブフレーム構成の他の具体例を示す図である。図１３においては、第１制御チャネルは、第２制御チャネルを含むサブフレーム識別情報に加えて、ＰＲＢの情報及びＭＣＳの情報を含む。ＭＣＳは、端末装置２００から報告され下り回線の状態を示すＣＳＩ（Channel  State  Information）に基づいて決定されるため、原則として上り回線におけるＣＳＩの報告周期と同一の周期でＭＣＳが変更される。そこで、図１３に示すサブフレーム構成では、ＣＳＩの報告周期と等しい長さの周期で第１制御チャネルが送信され、第１制御チャネルにはＭＣＳの情報が含まれる。
【００８９】
この結果、第２制御チャネルによって伝送される制御情報は、ＮＤＩ及びＲＶのみとなり、サブフレームにおけるオーバーヘッドをさらに小さくすることができる。なお、図１３に示したように、ＣＳＩの報告周期と第１制御チャネルの周期とが等しい場合にも、ＭＣＳの情報を第２制御チャネルによって伝送しても良い。この場合、第２制御チャネルは、第１制御チャネルよりも頻繁に送信されるため、新たなＣＳＩが受信されないうちに複数の第２制御チャネルが送信されることがある。したがって、ＣＳＩのみに基づいてＭＣＳを決定する場合には、同じＭＣＳを複数の第２制御チャネルによって重複して伝送することになる。
【００９０】
しかしながら、例えば下り信号に対する受信確認応答であるＡＣＫ／ＮＡＣＫも用いてＭＣＳを決定するようにして、それぞれの第２制御チャネルにおけるＭＣＳの情報を変更可能にしても良い。具体的には、前回端末装置２００へ送信された下り信号に対して受信成功を示すＡＣＫが返信された場合には、次の第２制御チャネルでは一段階良好な回線品質に対応するＭＣＳの情報が伝送されるようにする。反対に、前回端末装置２００へ送信された下り信号に対して受信失敗を示すＮＡＣＫが返信された場合には、次の第２制御チャネルでは一段階劣悪な回線品質に対応するＭＣＳの情報が伝送されるようにする。こうすることにより、ＣＳＩの報告周期よりも短い時間で、回線品質に応じたＭＣＳの変更が可能となる。
【００９１】
なお、ＣＳＩの報告周期と第１制御チャネルの送信周期とは、必ずしも等しくなくても良く、例えば一方の周期が他方の周期の整数倍であるなどのように、周期が所定の関係を持っていれば良い。
【００９２】
ここまで、下り制御情報が送信される際のＦＤＤのサブフレーム構成の具体例について説明したが、これらのサブフレーム構成は、第１制御チャネルにも制御情報が配分される点を除いて実施の形態１のサブフレーム構成と同様である。また、ＴＤＤのサブフレーム構成や上り制御情報が送信される際のサブフレーム構成も、第１制御チャネルにも制御情報が配分される点を除いて実施の形態１と同様である。
【００９３】
以上のように、本実施の形態によれば、所定周期で送信される第１制御チャネルと周期内に送信される第２制御チャネルとに制御情報を配分するとともに、第１制御チャネルによって第２制御チャネルの送信タイミングを通知する。このため、制御情報の一部を比較的長周期の第１制御チャネルによって伝送するとともに、残りの制御情報を比較的頻繁に送信される第２制御チャネルによって伝送することができ、オーバーヘッドの増大を抑制しつつ、状況に応じた柔軟な通信設定をすることができる。
【００９４】
なお、上記各実施の形態において説明した第１制御チャネル及び第２制御チャネルの伝送方法をセルフコンテインド（Self-contained）サブフレームに適用することも可能である。セルフコンテインドサブフレームは、１つのサブフレームに下り信号と上り信号が含まれるサブフレームである。
【００９５】
図１４は、セルフコンテインドサブフレーム構成の具体例を示す図である。図１４の上図は、下り制御情報がセルフコンテインドサブフレームによって伝送される場合のサブフレーム構成を示す。この図に示すように、第１制御チャネルは、例えば１０サブフレーム周期のサブフレーム＃０によって送信される。すなわち、図１４上図のサブフレーム＃０の例えば斜線のパターンで示すリソースブロックが第１制御チャネルに割り当てられる。第１制御チャネルには、下り制御情報を含む第２制御チャネルが伝送されるサブフレームの識別情報が含まれている。
【００９６】
そして、第１制御チャネルで端末装置２００へ通知されたサブフレームには、端末装置２００宛ての第２制御チャネルとデータチャネルとが割り当てられる。図１４上図においては、第２制御チャネルを横線のパターンで示し、データチャネルをドットのパターンで示す。さらに、第２制御チャネルが含まれるサブフレーム＃１、＃３、＃８には、端末装置２００においてデータチャネルの受信が成功したか否かを示すＡＣＫ／ＮＡＣＫが含まれる。すなわち、下り回線のデータチャネルと同じサブフレームで、図１４上図において黒塗りのパターンで示す上り回線のＡＣＫ／ＮＡＣＫが伝送される。
【００９７】
同様に、図１４の下図は、上り制御情報がセルフコンテインドサブフレームによって伝送される場合のサブフレーム構成を示す。この図に示すように、第１制御チャネルは、例えば１０サブフレーム周期のサブフレーム＃０によって送信される。すなわち、図１４下図のサブフレーム＃０の例えば斜線のパターンで示すリソースブロックが第１制御チャネルに割り当てられる。第１制御チャネルには、上り制御情報を含む第２制御チャネルが伝送されるサブフレームの識別情報が含まれている。
【００９８】
そして、第１制御チャネルで端末装置２００へ通知されたサブフレームには、端末装置２００宛ての第２制御チャネルが割り当てられる。図１４下図においては、第２制御チャネルを横線のパターンで示す。さらに、第２制御チャネルが含まれるサブフレーム＃１、＃３、＃８には、端末装置２００からの上り回線のデータチャネルが含まれる。すなわち、下り回線の第２制御チャネルが伝送されるサブフレームで、図１４下図においてドットのパターンで示す上り回線のデータチャネルが伝送される。これらの上り回線のデータチャネルは、同じサブフレームの第２制御チャネルで通知された通信パラメータに従って伝送される。
【００９９】
このように、セルフコンテインドサブフレーム構成においても、第１制御チャネルによって第２制御チャネルが含まれるサブフレームの識別情報を通知することにより、状況に応じた柔軟な通信設定をすることができる。また、第１制御チャネルに制御情報の一部を配分することにより、セルフコンテインドサブフレームのオーバーヘッドを小さくすることができる。
【符号の説明】
【０１００】
１０１、２０４  データＣＨ生成部
１０２  スケジューラ
１０３  第１制御ＣＨ生成部
１０４  第２制御ＣＨ生成部
１０５  多重部
１０６、２０５  無線送信部
１０７、２０１  無線受信部
１０８、２０３  データＣＨ処理部
２０２  制御ＣＨ処理部
３０１  配分決定部
【図１】
2017163418.tif 000003
【図２】
2017163418.tif 000004
【図３】
2017163418.tif 000005
【図４】
2017163418.tif 000006
【図５】
2017163418.tif 000007
【図６】
2017163418.tif 000008
【図７】
2017163418.tif 000009
【図８】
2017163418.tif 000010
【図９】
2017163418.tif 000011
【図１０】
2017163418.tif 000012
【図１１】
2017163418.tif 000013
【図１２】
2017163418.tif 000014
【図１３】
2017163418.tif 000015
【図１４】
2017163418.tif 000016
【国際調査報告】
2017163418.tif 000017
2017163418.tif 000018